(57)【特許請求の範囲】
【請求項１】
自動車のドアと車体開口部周縁との間をシールし、上記ドアのドアフレームの外周に取付けられるドアウエザストリップにおいて、
該ドアウエザストリップは、上記ドアフレームの車外側に取付けられ、ドアフレームと上記車体開口部周縁の車外側との間をシールする車外側ウエザストリップと、上記ドアフレームの車内側に取付けられ、ドアフレームと上記車体開口部周縁の車内側との間をシールする車内側ウエザストリップ及び、該車外側ウエザストリップと車内側ウエザストリップとを一体に連結する連結部から構成され、
上記車外側ウエザストリップは、上記ドアフレームの外周車外側端部に取付けられたリテーナーの車内側側端に取付けられる車外側ウエザストリップ取付基部及び、上記車体開口部周縁の車外側側端と上記ドアフレームの車外側側端又は上記ドアフレームに取付けられたドアモールの車外側側端との間をシールする車外側ウエザストリップシール部とから構成され、該車外側ウエザストリップシール部は、上記車体開口部周縁と上記ドアフレーム又は上記ドアモールのそれぞれの車外側側端に当接するシール部シール壁及び、該シール部シール壁と上記車外側ウエザストリップ取付基部とを連結するシール部連結壁から構成され、
上記シール部シール壁は、車外側に凸に湾曲して形成されるとともに、上記シール部シール壁の上記ドアフレーム又は上記ドアモールの側の先端は、上記ドアフレーム又は上記ドアモールの車外側側部先端の裏面に当接し、ドア閉時に上記シール部シール壁の上記車体開口部周縁側の先端は、上記車体開口部周縁に当接して、上記シール部シール壁は、上記車外側ウエザストリップ取付基部を中心に上記ドアフレーム又は上記ドアモールの車外側側部先端の裏面を摺動してリテーナーの底部方向に移動可能に形成されたことを特徴とするドアウエザストリップ。
【請求項２】
上記車外側ウエザストリップの車外側ウエザストリップシール部は、シール部シール壁がリップ状に形成され、上記シール部シール壁とシール部連結壁とは断面がＬ字形又はＴ字形に連結されている請求項１に記載のドアウエザストリップ。
【請求項３】
上記車外側ウエザストリップの車外側ウエザストリップシール部は、シール部シール壁がリップ状に形成され、上記シール部シール壁とシール部連結壁とは上記車体開口部周縁側でのみ連結されている請求項１に記載のドアウエザストリップ。
【請求項４】
上記車外側ウエザストリップの車外側ウエザストリップシール部は、中空状に形成され、上記シール部シール壁とシール部連結壁とは、上記車体開口部周縁側と、上記ドアフレーム又は上記モール側との両側で連結されている請求項１に記載のドアウエザストリップ。
【請求項５】
上記車外側ウエザストリップの車外側ウエザストリップ取付基部は、上記リテーナーの車内側先端と車内側側部と底部に接触して保持されている請求項１乃至請求項４のいずれかに記載のドアウエザストリップ。
【請求項６】
上記車外側ウエザストリップの車外側ウエザストリップ取付基部は、硬質の材料で形成された請求項１乃至請求項５のいずれかに記載のドアウエザストリップ。
【請求項７】
上記ドアフレーム又は上記ドアモールの車外側側部の裏面において、上記シール部シール壁の上記ドアフレーム又は上記ドアモールの側の先端と、上記ドアフレーム又は上記リテーナーの底部の間に、上記シール部シール壁が摺動可能な空間を有するように形成された請求項１乃至請求項６のいずれかに記載のドアウエザストリップ。
【発明の詳細な説明】
【技術分野】
【０００１】
本発明は、自動車のドアと車体開口部周縁との間をシールする自動車用のドアウエザストリップに関するものである。
【背景技術】
【０００２】
自動車のドア１と車体開口部周縁６との間のシールは、図６に示すように、ドア１の外周部に設けられたドアフレーム２の外周に取付けられるドアウエザストリップ１１０及び／または、車体開口部周縁６のフランジ６ａに取付けられるオープニングウエザストリップ１３０によりなされる。なお、ドアガラス５とドア１との間のシールは、ドアフレーム２の内周のチャンネル３に取付けられるガラスラン１２０によってなされる。
【０００３】
ガラスラン１２０は、チャンネル３に取付けられ、車外側側壁１２１、底壁１２２と車内側側壁１２３からなる断面略Ｕ字形の内部にドアガラス５の端部を収納し、車外側側壁１２１と車内側側壁１２３の先端から延設した車外側シールリップ１２４と車内側シールリップ１２５をドアガラス５の車外側面・車内側面に当接させてシールしている。
車体開口部周縁６のフランジ６ａに取付けられたオープニングウエザストリップ１３０は、断面略Ｕ字形のトリム部１３１によりフランジ６ａに取付けられ、中空シール部１３２をドアフレーム２等の内面に当接させて、ドア１と車体開口部周縁６との間をシールする。
【０００４】
ドア１のドアフレーム２の外周に取付けられたドアウエザストリップ１１０は、取付基部１１１とその上面に一体に形成された中空シール部１１４とシールリップ部１１６から構成される。取付基部１１１は、ドアフレーム２の外周部に取付けられたリテーナー１５５に嵌め込まれてドアフレーム２に固定される。そして、ドア閉時にシールリップ部１１６が車体開口部周縁６の最も車外側の側端に当接し、ドアフレーム２の外周端縁と車体開口部周縁６の車外側側端との間の隙間をシールする。そのとき、中空シール部１１４は、車体開口部周縁６のシールリップ部１１６が当接する部分よりも車内側の膨出部分に当接して、ドア１と車体開口部周縁６との間をシールしている。
【０００５】
このようなリップ状のシールリップ部１１６は、ドア閉時に車体開口部周縁６とドアフレーム２との間に挟まれて屈曲され、凹部が生じて、見栄えがよくなかった。また、自動車の高速走行時には、ドア１が気圧等の関係で車外側に吸い出されて変位することがある。このとき、ドアウエザストリップ１１０のシールリップ部１１６は、車体開口部周縁６から離れたり、シールリップ部１１６の先端が車外側へ突出して、シール性が低下することがあった。
そのため、車体開口部周縁６とドアフレーム２との間に凹部を生じなくして、外面から見た場合に車体開口部周縁６とドアフレーム２との間にフラット感を与えて見栄えをよくし、リップの先端が高速走行時に吸い出されなくするように、図７に示すように、断面略釣針形状に屈曲したシールリップ部１１６を形成させたものがある（例えば、特許文献１参照。）。
【０００６】
しかしながら、この断面釣針形状のシールリップ部１１６は、ドア１の開閉時にシールリップ部１１６の先端の位置が車両の幅方向でバラツキ、ドア閉時にシールリップ部１１６の上端部に車体開口部周縁６が当接したときに、シールリップ部１１６のそれぞれの部分が屈曲して、車体開口部周縁６やルーフ側端に装着されたルーフモール６０１と、ドア１の外周部の先端との間に凹凸感が生じたり、シールリップ部１１６の先端がドアフレーム２の先端から外れて、車外側にはみ出したり、シールリップ部１１６の根元部が車体開口部周縁６によって変形させられて、車体開口部周縁と離れてシール性が低下する場合もあった。
【０００７】
また、図８に示すように、シールリップにおいて、中空状の中空シール部１１７をリップ形状の替わりに用いるものがある（例えば、特許文献２参照。）。
しかしながらこの場合は、ドアの開閉時に中空シール部１１７の先端が、車体開口部周縁６に当接して、中空シール部１１７を潰すように変形するため、ドア閉力が大きくなる場合があるとともに、中空シール部１１７の側壁が変形して、車体開口部周縁６とドアフレーム２の先端との間に突出する場合があり、見栄えがよくない場合がある。
【０００８】
また、近年デザイン的要求からヒドンタイプのドアが多く用いられるようになってきたが、ヒドンタイプのドアにおいては、ドアフレーム２の車外側の側端の立壁の幅を狭くして、ドア１と車体開口部周縁６との間を狭くするため、ドアウエザストリップ１１０の車外側の部分を小さくする必要が生じている。
このため、図９に示すように、ドアウエザストリップ１１０を車外側ウエザストリップ１１２と車内側ウエザストリップ１１３の２つの部分に離して形成して、車外側ウエザストリップ１１２の部分を小さくし、シール部分もリップ状にシールリップ部１１６として形成して、車内側ウエザストリップ１１３の部分は、ドアフレーム２の車内側で下方に下げて、取付けているものがある（例えば、特許文献３参照。）。
【０００９】
この場合は、車内側ウエザストリップ１１３の中空シール部１１４は、従来と同様の大きさに形成することができるが、車外側ウエザストリップ１１２のシールリップ部１１６は小さくなり、シール性も不十分となった。さらに、ドア閉時にシールリップ部１１６がドアフレーム２よりも車外側に突出したり、車体開口部周縁６とドアフレーム２の間に凹みが生じて、デザイン的に好ましくない場合があった。
【特許文献１】実開平３−１０９２２号公報
【特許文献２】特開平１１−３４６７２号公報
【特許文献３】特開２００２−３０７９５２号公報
【発明の開示】
【発明が解決しようとする課題】
【００１０】
このため、本発明は、ドアウエザストリップのシール部が車体開口部周縁とドアの外周の先端との間を確実に塞ぎ、凹凸感のない、見栄えのよいシール性に優れた自動車用ドアウエザストリップを提供することを目的とするものである。
【課題を解決するための手段】
【００１１】
上記課題を解決するために請求項１の本発明は、自動車のドアと車体開口部周縁との間をシールし、ドアのドアフレームの外周に取付けられるドアウエザストリップにおいて、
ドアウエザストリップは、ドアフレームの車外側に取付けられ、ドアフレームと車体開口部周縁の車外側との間をシールする車外側ウエザストリップと、ドアフレームの車内側に取付けられ、ドアフレームと車体開口部周縁の車内側との間をシールする車内側ウエザストリップ及び、車外側ウエザストリップと車内側ウエザストリップとを一体に連結する連結部から構成され、
車外側ウエザストリップは、ドアフレームの外周車外側端部に取付けられたリテーナーの車内側側端に取付けられる車外側ウエザストリップ取付基部及び、車体開口部周縁の車外側側端とドアフレームの車外側側端又はドアフレームに取付けられたドアモールの車外側側端との間をシールする車外側ウエザストリップシール部とから構成され、車外側ウエザストリップシール部は、車体開口部周縁とドアフレーム又はドアモールのそれぞれの車外側側端に当接するシール部シール壁及び、シール部シール壁と車外側ウエザストリップ取付基部とを連結するシール部連結壁から構成され、
シール部シール壁は、車外側に凸に湾曲して形成されるとともに、シール部シール壁のドアフレーム又はドアモールの側の先端は、ドアフレーム又はドアモールの車外側側部先端の裏面に当接し、ドア閉時にシール部シール壁の車体開口部周縁側の先端は、車体開口部周縁に当接して、シール部シール壁は、車外側ウエザストリップ取付基部を中心にドアフレーム又はドアモールの車外側側部先端の裏面を摺動してリテーナーの底部方向に移動可能に形成されたドアウエザストリップである。
【００１２】
請求項１の本発明では、車外側ウエザストリップは、ドアフレームの外周車外側端部に取付けられたリテーナーの車内側側端に取付けられる車外側ウエザストリップ取付基部及び、車体開口部周縁の車外側側端とドアフレームの車外側側端又はドアフレームに取付けられたドアモールの車外側側端との間をシールする車外側ウエザストリップシール部とから構成される。このため、車外側ウエザストリップ取付基部がリテーナーの車内側側端に保持されて、車外側ウエザストリップシール部が車外側ウエザストリップ取付基部を中心にして回動可能に構成されるとともに、車外側ウエザストリップシール部が車体開口部周縁とドアフレームの車外側の先端部をシールすることができる。
【００１３】
車外側ウエザストリップシール部は、車体開口部周縁とドアフレーム又はドアモールのそれぞれの車外側側端に当接するシール部シール壁及び、シール部シール壁と車外側ウエザストリップ取付基部とを連結するシール部連結壁から構成されている。このため、ドアフレームの車外側側端の立壁状の部分に当接する場合は、ドアフレームと車体開口部周縁のそれぞれの隙間を塞ぐことができ、シール部シール壁が、車体開口部周縁とドアフレーム又はドアフレームの側端にドアモールが取付けられて、そのドアモールにシール部シール壁が当接する場合は、ドアモールのそれぞれの車外側側端との間の隙間を塞ぐことができる。また、シール部連結壁が車外側ウエザストリップ取付基部を中心に撓むことができ、ドア閉力を低下させることができる。
【００１４】
シール部シール壁は、車外側に凸に湾曲して形成されるとともに、シール部シール壁のドアフレーム又はドアモールの側の先端は、ドアフレーム又はドアモールの車外側側部先端の裏面に当接している。このため、車体開口部周縁とドアフレーム又はドアモールのそれぞれの車外側側端との間の隙間を車外側から見て、凹部を形成することなく、平滑に塞いでシールすることができる。また、シール部シール壁の先端がドアフレーム又はドアモールの裏面に当接するため、シール部シール壁が車外側にはみ出さずに、美観を保持することができる。
モールとリテーナーが一体的に形成されている場合は、リテーナーの車外側側部がモールの裏面に相当する。
【００１５】
ドア閉時にシール部シール壁の車体開口部周縁側の先端は、車体開口部周縁に当接して、シール部シール壁は、車外側ウエザストリップ取付基部を中心にドアフレーム又はドアモールの車外側側部先端の裏面を摺動してリテーナーの底部方向に移動可能に形成している。このため、ドア閉時に車体開口部周縁にシール部シール壁が押されて、車体開口部周縁とドアフレーム又はドアモールの間の隙間のシールを維持しつつ摺動することができ、シール性を向上し、ドア閉力を小さくすることができる。
【００１６】
請求項２の本発明は、車外側ウエザストリップの車外側ウエザストリップシール部は、シール部シール壁がリップ状に形成され、シール部シール壁とシール部連結壁とは断面がＬ字形又はＴ字形に連結されているドアウエザストリップである。
【００１７】
請求項２の本発明では、車外側ウエザストリップの車外側ウエザストリップシール部は、シール部シール壁がリップ状に形成されているため、シール部シール壁が撓みやすく、ドア閉時にシール部シール壁が大きく押されても、シールを維持しつつ、容易に変形して、ドア閉力を小さくすることができる。
シール部シール壁とシール部連結壁とは断面がＬ字形又はＴ字形に連結されているため、シール部連結壁が変形して、シール部シール壁の先端をドアフレーム又はドアモールの車外側側部先端の裏面に摺動させることができる。Ｌ字形に連結した場合は、シール部シール壁の柔軟性を確保することができる。Ｔ字形に連結した場合は、シール部シール壁の先端の位置のズレを少なくすることができ、その先端を確実にドアフレーム又はドアモールの車外側側部先端の裏面に当接させることができる。
【００１８】
請求項３の本発明は、車外側ウエザストリップの車外側ウエザストリップシール部は、シール部シール壁がリップ状に形成され、シール部シール壁とシール部連結壁とは車体開口部周縁側でのみ連結されているドアウエザストリップである。
【００１９】
請求項３の本発明では、車外側ウエザストリップの車外側ウエザストリップシール部は、シール部シール壁がリップ状に形成され、シール部シール壁とシール部連結壁とは車体開口部周縁側でのみ連結されている。このため、ドア閉時に車体開口部周縁がシール部シール壁とシール部連結壁との連結部分を押して、シール部連結壁を撓ませて、シール部シール壁を全体に回動させて、異常変形させることなく、ドアフレーム又はドアモールの車外側側部先端の裏面を摺動させることができる。
【００２０】
請求項４の本発明は、車外側ウエザストリップの車外側ウエザストリップシール部は、中空状に形成され、シール部シール壁とシール部連結壁とは、車体開口部周縁側と、ドアフレーム又はドアモール側との両側で連結されているドアウエザストリップである。
【００２１】
請求項４の本発明では、車外側ウエザストリップの車外側ウエザストリップシール部は、中空状に形成され、シール部シール壁とシール部連結壁とは、車体開口部周縁側と、ドアフレーム又はドアモール側との両側で連結されている。このため、シール部シール壁がドアフレーム又はドアモールの車外側にはみ出ることがなく、スムースに摺動して、シール性を確保できるとともに、美観を損なうことがない。
【００２２】
請求項５の本発明は、車外側ウエザストリップの車外側ウエザストリップ取付基部は、リテーナーの車内側先端と車内側側部と底部に接触して保持されているドアウエザストリップである。
【００２３】
請求項５の本発明では、車外側ウエザストリップの車外側ウエザストリップ取付基部は、リテーナーの車内側先端と車内側側部と底部に接触して保持されているため、リテーナーの車内側側壁に強固に保持されて、車外側ウエザストリップシール部を確実にドアフレーム又はドアモールの先端裏面に当接させることができる。
【００２４】
請求項６の本発明は、車外側ウエザストリップの車外側ウエザストリップ取付基部は、硬質の材料で形成されたドアウエザストリップである。
【００２５】
請求項６の本発明では、車外側ウエザストリップの車外側ウエザストリップ取付基部は、硬質の材料で形成されたため、ドアフレーム又はドアモールに取付けられ、又は、形成されたリテーナーに強固に保持されることができ、車外側ウエザストリップシール部を所定位置に当接させることができ、シール性を確保することができる。
【００２６】
請求項７の本発明は、ドアフレーム又はドアモールの車外側側部の裏面において、シール部シール壁のドアフレーム又はドアモールの側の先端と、ドアフレーム又はリテーナーの底部の間に、シール部シール壁が摺動可能な空間を有するように形成されたドアウエザストリップである。
【００２７】
請求項７の本発明では、ドアフレーム又はドアモールの車外側側部の裏面において、シール部シール壁のドアフレーム又はドアモールの側の先端と、ドアフレーム又はリテーナーの底部の間に、シール部シール壁が摺動可能な空間を有するように形成された。このため、ドア閉時に車体開口部周縁に押されて、シール部連結壁が撓み、シール部シール壁がドアフレーム又はドアモールの底壁方向に摺動しつつ容易に移動することができ、ドア閉力を小さくすることができる。
【発明の効果】
【００２８】
本発明は、シール部シール壁は、車外側に凸に湾曲して形成され、ドアフレーム又はドアモールの車外側側部先端の裏面に当接しているため、車体開口部周縁とドアフレーム又はドアモールのそれぞれの車外側側端との間の隙間をシールすることができ、シール部シール壁が車外側にはみ出さずに、美観を保持することができる。
ドア閉時にシール部シール壁の車体開口部周縁側の先端は、車外側ウエザストリップ取付基部を中心にドアフレーム又はドアモールの車外側側部先端の裏面を摺動して、車体開口部周縁とドアフレーム又はドアモールの間の隙間のシールを維持しつつ摺動することができ、シール性を向上し、ドア閉力を小さくすることができる。
【発明を実施するための最良の形態】
【００２９】
本発明の実施の形態を図１〜図５に基づき説明する。
図５は自動車の側面図である。図５に示すように、自動車のドア１の上部の外周部にはドアフレーム２が設けられ、ドアガラス５が昇降自在に取付けられる。すなわち、ドアフレーム２の外周部にはドアウエザストリップ１０が取付けられ、ドア１と車体開口部周縁６の間をシールしている。
また、ドアフレーム２の内周には、チャンネル３が設けられ、このチャンネル３内にガラスランが取付けられ、ドアガラス５の昇降を案内するとともに、ドアガラス５とドアフレーム２との間をシールしている。
【００３０】
図１〜図４は、本発明の実施の形態のドアウエザストリップ１０の断面図であり、それぞれ図５におけるＡ−Ａ線に沿ったドアフレーム２部分の断面図であり、ドアウエザストリップ１０を自動車のドア１の外周部に装着した状態を示すものである。図１〜図４は、それぞれ本発明の第１〜第４の実施の形態を示すものである。
ドアウエザストリップ１０は、直線部分は押出成形により長尺に成形され、ドアフレーム２のコーナー部に対応する部分は、型成型により形成されている。
【００３１】
まず、本発明の第１の実施の形態を図１に基づき説明する。
本発明のドアウエザストリップ１０が取付けられるドアフレーム２は、本実施の形態においては、いわゆるヒドンタイプのものを例に取り説明する。ヒドンタイプのドアフレーム２は、その幅が狭く、ドアフレーム２の外周に取付けられたドアモール５０により覆われて、車外側からは見えないように構成されている。ドアモール５０は、モール部５１とリテーナー部５５とから連続的に形成されている。モール部５１とリテーナー部５５は、それぞれ別体で形成してもよい。
ヒドンタイプ以外のドアフレーム２の場合は、リテーナー部５５が別体で形成されて、ドアフレーム２の車外側側端がモール部５１のように立壁状に幅広に形成される場合がある。この場合は、そのドアフレーム２の立壁状の裏面にリテーナー部５５が取付けられる。
【００３２】
モール部５１は、ドアフレーム２の先端を覆うように所定の幅を有しており、下方の先端は、ヘヤピン状に折れ曲がっている。この、ヘヤピン状に折れ曲がった部分とドアフレーム２の下面とでガラスラン（図示せず）を保持する。
モール部５１の上端も同様にヘヤピン状に折れ曲がってその裏面側がリテーナー部５５に連続している。モール部５１とリテーナー部５５は、１枚の板金を折り曲げることにより形成することができる。
【００３３】
リテーナー部５５は、断面形状が底部の広がった略Ｕ字形に形成され、モール部５１の裏面において連続する車外側の壁を形成するリテーナー車外側側部５６と、車内側の壁を形成するリテーナー車内側側部５７と、リテーナー車外側側部５６とリテーナー車内側側部５７を連結し底壁を形成するリテーナー底部５８から形成される。リテーナー車内側側部５７の先端は鉤型に屈曲したリテーナー車内側先端部５９を形成する。リテーナー車内側先端部５９の先端部分はヘヤピン状に屈曲している。リテーナー車外側側部５６はモール部５１の裏面にモール部５１と連続して形成される。
【００３４】
ドアフレーム２の車内側外周は、リテーナー部５５が取付けられる車外側よりも階段状に低く形成され、後述する車内側ウエザストリップ３０が取付け可能なように、溝状のリテーナー凹部２ｃが形成されている。リテーナー凹部２ｃは、ドアフレーム２のインナーパネル２ｂを屈曲させて形成する。
【００３５】
ドアウエザストリップ１０の断面形状は、図１に示すように、車外側ウエザストリップ２０、車内側ウエザストリップ３０及び、車外側ウエザストリップ２０と車内側ウエザストリップ３０とを一体に連結する連結部４０から構成される。
車外側ウエザストリップ２０は、ドアフレーム２の外周の車外側、即ち上述のリテーナー部５５に取付けられ、ドアフレーム２と車体開口部周縁６との間において、車外側の先端部分をシールする。
車内側ウエザストリップ３０は、ドアフレーム２の外周の車内側、即ち上述のリテーナー凹部２ｃに取付けられ、ドアフレーム２と車体開口部周縁６との間において車内側をシールする。
このため、上述の車外側ウエザストリップ２０と車内側ウエザストリップ３０とで２重のシールをすることができる。
【００３６】
車外側ウエザストリップ２０は、車外側ウエザストリップ取付基部２１と車外側ウエザストリップシール部２２から形成される。車外側ウエザストリップ取付基部２１は、断面が鉤状に屈曲して中心が空間を有するように形成される。ドアウエザストリップ１０をドアフレーム２に取付けるときに、上述のリテーナー車内側先端部５９がその空間に嵌め込まれるように係合される。そうすると、車外側ウエザストリップ取付基部２１は、リテーナー部５５のリテーナー底部１２と、リテーナー車内側側部５７と、リテーナー車内側先端部５９の内面の３箇所に当接して保持されるために、リテーナー車内側側部５７に強固に保持されて、車外側ウエザストリップシール部２２を所定の位置に保持して、車外側ウエザストリップシール部２２を確実に車体開口部周縁６とドアモール５０の間の隙間に当接させることができる。
【００３７】
なお、車外側ウエザストリップ取付基部２１は、硬質の材料で形成することができる。硬質の材料で形成すると、リテーナー車内側側部５７に強固に保持されることができ、上記のように車外側ウエザストリップシール部２２を所定位置に当接させることができ、シール性を確保することができる。
硬質の材料は、例えば、ＪＩＳ硬度８５°〜９５°の硬質ゴムから形成することができる。硬質ゴムを使用すれば、軟質ゴムを使用する他の部分と同時に成型することができる。
硬質の材料の部分は、ＥＰＤＭゴム又はオレフィン系熱可塑性エラストマーのソリッド材で形成されると、耐候性のよい製品を得ることができる。
【００３８】
車外側ウエザストリップシール部２２は、シール部連結壁２３とシール部シール壁２４から形成される。シール部連結壁２３は、板状に形成され、一方の側端は車外側ウエザストリップ取付基部２１と一体的に形成され、連結部４０とも連続している。シール部連結壁２３の他方の側端はシール部シール壁２４と一体的に形成されている。
シール部シール壁２４は、リップ状に形成され、円弧状に車外側に凸に湾曲して形成される。シール部シール壁２４の車体開口部周縁６側の側端にシール部連結壁２３が一体的に連続して、車外側ウエザストリップシール部２２の断面形状は略Ｌ字形に形成される。このため、車体開口部周縁６とドアフレーム２に取付けられたドアモール５０の車外側側端との間の隙間を塞いでシールすることができる。また、その隙間を車外側から見て、凹部を形成することなく平滑に塞ぐことができる。
【００３９】
シール部シール壁２４のリテーナー部５５側の先端は、モール部５１の裏面であるリテーナー車外側側部５６の表面に当接するため、シール部シール壁２４の先端がリテーナー部５５から外れて車外側にはみ出さずに、美観を保持することができる。
さらに、ドア閉時にシール部シール壁２４の車体開口部周縁側の先端は、車体開口部周縁６に当接して、車体開口部周縁６にシール部シール壁２４が押されて、シール部連結壁２３が撓んで、シール部シール壁２４は、モール部５１の裏面側にあるリテーナー車外側側部５６の表面を摺動してリテーナー底部５８（下方）方向に移動する。
なお、ドアフレーム２がヒドンタイプでない場合は、ドアフレーム２の車外側先端に形成された立壁の裏面にシール部シール壁２４当接して、ドアフレーム２の先端のその立壁の裏面を摺動する。
【００４０】
シール部シール壁２４のリテーナー部５５側の先端とリテーナー底部５８の間に、シール部シール壁２４が摺動可能な空間を有する。このため、ドア閉時にシール部シール壁２４がリテーナー底部５８方向に摺動しつつ容易に移動することができ、ドア閉力を小さくすることができる。
ドアウエザストリップ１０において、硬質の材料で形成される以外の部分、即ち、車外側ウエザストリップシール部２２、後述する車内側ウエザストリップ３０の車内側ウエザストリップシール部３２と車内側ウエザストリップ取付基部３１の両側及び連結部４０は、ＥＰＤＭゴム又はオレフィン系熱可塑性エラストマーのスポンジ材で形成される。硬質の材料をＥＰＤＭ又はオレフィン系熱可塑性エラストマーで形成すると、ドアウエザストリップ１０は全体としてオレフィン系でありそのまま一緒に粉砕等を行い、リサイクルして使用することができる。
【００４１】
車内側ウエザストリップ３０は、車内側ウエザストリップ取付基部３１と車内側ウエザストリップシール部３２から形成されている。
車内側ウエザストリップ取付基部３１は、略板状に形成され両側の側端はそれぞれドアフレーム２のリテーナー凹部２ｃに嵌め込まれて、車内側ウエザストリップ３０を保持することができる。車内側ウエザストリップ取付基部３１の中央部は、硬質の材料で形成されている。このため、押出成形時と加硫時にドアウエザストリップ１０が蛇行することを防止できる。
【００４２】
車内側ウエザストリップシール部３２は、中空状に形成され、ドア閉時に車体開口部周縁６の車内側の膨出部に当接して、車体開口部周縁６とドアフレーム２の間をシールすることができる。
また、ドアフレーム２のリテーナー凹部２ｃは、ドアフレーム２のリテーナー部５５が取付けられている部分よりも下方に形成されているので、中空状の車内側ウエザストリップシール部３２大きく形成しても、車体開口部周縁６とドアフレーム２の間の隙間を小さくすることができる。
車内側ウエザストリップシール部３２の部分から連結部４０が延設され、車外側ウエザストリップ２０の車外側ウエザストリップ取付基部２１とを一体的に結合している。
【００４３】
次に、第２の実施の形態を図２に基づき説明する。第２の実施の形態は、第１の実施の形態とは、車外側ウエザストリップ２０の車外側ウエザストリップシール部２２の形状が異なり、他の部分同様であるため、異なる部分を中心に説明し、同じ部分の説明は省略する。
車外側ウエザストリップ２０の車外側ウエザストリップ取付基部２１から板状の車外側ウエザストリップシール部２２のシール部連結壁２３が延設されている。シール部連結壁２３の先端にはリップ状のシール部シール壁２４の断面形状がＴ字形に一体的に形成されている。シール部シール壁２４の車体開口部周縁６に当接する側が長く、リテーナー部５５に当接する側が短く形成されている。
【００４４】
シール部シール壁２４は、全体として車外側に湾曲して円弧状に形成され、そのリテーナー部５５側は、リテーナー部５５のリテーナー車外側側部５６に当接している。シール部シール壁２４のリテーナー８側とリテーナー底部５８の間は、空間が設けられ、ドア閉時にシール部シール壁２４がリテーナー部５５に当接したまま摺動が容易になる。また、シール部シール壁２４のリテーナー８側が短く形成されているため、シール部シール壁２４の先端の位置のズレを少なくすることができ、その先端を確実にドアフレーム又はドアモールの車外側側部先端の裏面であるリテーナー車外側側部５６に当接させることができる。
【００４５】
シール部シール壁２４の車体開口部周縁６側の先端は、ドア閉時に車体開口部周縁６と当接して、車体開口部周縁６とドアフレーム２の間をシールする。このとき、シール部シール壁２４の車体開口部周縁６側は、車体開口部周縁６に押されて撓むとともに、シール部連結壁２３を撓ませて、車外側ウエザストリップシール部２２を下方に回動させる。ドア閉時にシール部シール壁２４の車体開口部周縁６側が撓むことができ、シール性を確保することができるとともにドア閉力を低減させることができる。
【００４６】
次に、第３の実施の形態を図３に基づき説明する。第３の実施の形態は、第２の実施の形態とは、車外側ウエザストリップ２０の車外側ウエザストリップシール部２２の形状が異なり、他の部分同様であるため、異なる部分を中心に説明し、同じ部分の説明は省略する。
車外側ウエザストリップ２０の車外側ウエザストリップ取付基部２１から板状の車外側ウエザストリップシール部２２のシール部連結壁２３が延設され、シール部連結壁２３の先端にはリップ状のシール部シール壁２４の断面形状がＴ字形に一体的に形成されている点は同様であるが、シール部シール壁２４の車体開口部周縁６に当接する側が短く、リテーナー部５５に当接する側が長く形成されている。
【００４７】
シール部シール壁２４のリテーナー部５５側が長く形成されているため、ドア閉時にシール部シール壁２４がリテーナー車外側側部５６と当接して摺動するときに、容易に撓んで当接を維持しつつシール部シール壁２４が回動しやすくなる。
シール部シール壁２４の車体開口部周縁６側が短く形成されているため、ドア閉時にシール部シール壁２４が車体開口部周縁６の外に飛び出すことがなく、車体開口部周縁６に押されてシール部連結壁２３を確実に撓ませることができ、リテーナー部５５を摺動させることができる。
【００４８】
次に、第４の実施の形態を図４に基づき説明する。第４の実施の形態は、第１の実施の形態とは、車外側ウエザストリップ２０の車外側ウエザストリップシール部２２の形状が異なり、他の部分同様であるため、異なる部分を中心に説明し、同じ部分の説明は省略する。
車外側ウエザストリップシール部２２は中空状のシール部を形成する。断面形状において、車外側ウエザストリップ２０の車外側ウエザストリップ取付基部２１から板状の車外側ウエザストリップシール部２２のシール部連結壁２３が上下に２本延設されている。２本のシール部連結壁２３のそれぞれの先端にはリップ状のシール部シール壁２４のそれぞれの先端が一体的に形成されて、中空状になる。
【００４９】
シール部シール壁２４は、全体として車外側に湾曲して円弧状に形成され、そのリテーナー部５５側（下方）は、リテーナー部５５のリテーナー車外側側部５６に当接している。シール部シール壁２４のリテーナー８側とリテーナー底部５８の間は、空間が設けられ、ドア閉時にシール部シール壁２４がリテーナー部５５のリテーナー車外側側部５６に当接したまま摺動することを可能ならしめている。シール部シール壁２４は、その両端がシール部連結壁２３と連続しているため、ドア閉時にシール部シール壁２４が車体開口部周縁６やドアモール５０からはみ出すことがなく、美観を維持することができる。
【００５０】
シール部シール壁２４の車体開口部周縁６側の先端は、ドア閉時に車体開口部周縁６と当接して、シール部シール壁２４のリテーナー部５５側の先端はリテーナー車外側側部５６に当接して、車体開口部周縁６とドアフレーム２の間の隙間を平面状に塞いでシールシールすることができる。
ドア閉時には車外側ウエザストリップシール部２２は、車外側ウエザストリップ取付基部２１を中心に上下のシール部連結壁２３が撓んで、シールを確保することができる。
【００５１】
次に、ドアウエザストリップ１０の製造方法について説明する。
ドアウエザストリップ１０の直線状の部分の成形においては、成形材料は、合成ゴム、熱可塑性エラストマー、軟質合成樹脂が使用され、例えば合成ゴムでは、ＥＰＤＭゴム、熱可塑性エラストマーでは、ポリオレフィン系エラストマー、軟質合成樹脂では、軟質塩化ビニル等が使用される。柔軟性を向上させるためにこれらの材料を発泡させてスポンジ材として使用することが好ましい。
合成ゴムの場合は、押出成形後に加硫槽に搬送されて、通常の方法で加熱されて加硫、発泡が行われる。その後所定の長さに切断されて、押出成形部分は製造される。
【図面の簡単な説明】
【００５２】
【図１】本発明の第１の実施の形態であるドアウエザストリップの断面図である。
【図２】本発明の第２の実施の形態であるドアウエザストリップの断面図である。
【図３】本発明の第３の実施の形態であるドアウエザストリップの断面図である。
【図４】本発明の第４の実施の形態であるドアウエザストリップの断面図である。
【図５】自動車ドアの側面図である。
【図６】従来の図５のＡ−Ａ線に沿ったドアフレーム上部の断面図である。
【図７】従来のドアウエザストリップの断面図である。
【図８】従来の他のドアウエザストリップの断面図である。
【図９】従来の他のドアウエザストリップの断面図である。
【符号の説明】
【００５３】
１ ドア
２ ドアフレーム
６ 車体開口部周縁
１０ ドアウエザストリップ
２０ 車外側ウエザストリップ
２１ 車外側ウエザストリップ取付基部
２２ 車外側ウエザストリップシール部
２３ シール部連結壁
２４ シール部シール壁
３０ 車内側ウエザストリップ
４０ 連結部
５０ ドアモール
５５ リテーナー部
５６ リテーナー車外側側部
５７ リテーナー車内側側部
５８ リテーナー底部
【図１】
0004640144.tif 000002
【図２】
0004640144.tif 000003
【図３】
0004640144.tif 000004
【図４】
0004640144.tif 000005
【図５】
0004640144.tif 000006
【図６】
0004640144.tif 000007
【図７】
0004640144.tif 000008
【図８】
0004640144.tif 000009
【図９】
0004640144.tif 000010